(57)【特許請求の範囲】
【請求項１】
酸素捕集組成を有するウエブを活性化するための装置であって、
ＵＶ室に配置され、かつ複数の一連に配置されたＵＶ灯を含むＵＶ光源を備え、一連のＵＶ灯が、ＵＶ光が透過可能である第１の側面および第２の側面を有し、前記装置が、さらに、
前記ＵＶ室に配置され、前記第１の側面および第２側面に近接してＵＶ光源の回りにウエブ経路を画定し、かつＵＶ光源に近接してウエブを向けるための一連のガイドロールと、
ＵＶ光源とウエブ経路との間に配置されるＵＶシェードとを備え、ＵＶシェードは、端部を含み、ウエブがＵＶ光源からのＵＶ光に曝露されるのを少なくとも部分的に遮蔽することができ、ＵＶシェードは、一連のＵＶ灯の第１および第２の側面の回りを包み、かつＵＶシェードが開いている程度を調節することによって、ウエブが曝露されるＵＶ光の照射量を制御するように、開位置、部分開位置、および閉位置の間でＵＶ室に対して可動であるように構成される、装置。
【請求項２】
ウエブ経路にほぼ平行である経路に沿って、開位置から閉位置までＵＶシェードを移動させるように動作可能なシェード駆動システムをさらに備える、請求項１に記載の装置。
【請求項３】
ＵＶシェードが、端部を含み、シェード駆動システムが、ＵＶシェードを移動させるように動作可能であり、該移動の速度が、ほぼウエブがＵＶ室を通って進行している速度のレートである、請求項２に記載の装置。
【請求項４】
ＵＶシェードが閉位置にあるとき、ＵＶ光が、ＵＶ室に配置されたウエブに接触するのがほぼ防止される、請求項１に記載の装置。
【請求項５】
ＵＶ光源が、バンクに構成され、かつＵＶ室に配置された複数のＵＶ灯を備え、ＵＶ灯のバンクが、ＵＶ光が透過可能である第１の側面および第２の側面を有する、請求項１に記載の装置。
【請求項６】
ＵＶシェードが、引込み可能および伸張可能であり、ＵＶ灯のバンクの第１の側面および第２の側面の回りを包むように構成および配置され、ＵＶシェードが、ＵＶシェードが開いている程度を調節することによって、ウエブが曝露される光の照射量が制御されるように、開位置、部分開位置、および閉位置の間で移動するように構成される、請求項５に記載の装置。
【請求項７】
ＵＶ灯の２つ以上のバンクを含む、請求項５に記載の装置。
【請求項８】
ＵＶシェードが、ウエブ経路にほぼ平行な経路に沿って、開位置から閉位置に移動するように構成される、請求項６に記載の装置。
【請求項９】
ＵＶシェードが、異なる開放度間にＵＶシェードを移動させるように動作可能なシェード駆動デバイスと機械的に連絡する、請求項１に記載の装置。
【請求項１０】
ＵＶシェードが、端部を含み、シェード駆動システムが、ＵＶシェードを移動させるように動作可能であり、該移動の速度が、ほぼウエブがＵＶ室を通って進行している速度のレートである、請求項９に記載の装置。
【請求項１１】
ＵＶ灯のバンクが、カセットに配置され、カセットが、ＵＶ灯のバンクが間に配置される第１のパネルおよび第２のパネルを含み、第１のパネルおよび第２のパネルが、それぞれ、ＵＶ光が透過可能である開口を含む、請求項５に記載の装置。
【請求項１２】
カセットが、内部に配置されたＵＶ灯の表面にわたって空気が通って循環可能である対向開放側面縁を含む、請求項１１に記載の装置。
【請求項１３】
カセット内から空気を除去するためのファンと、
カセットから除去された空気を調整するための熱交換器と、
調整された空気をＵＶ灯と接触して通過させるためのプレナムとを有する、灯調整システムをさらに備える、請求項１２に記載の装置。
【請求項１４】
シェード駆動デバイスが、第１の側面および第２の側面の回りを包みかつＵＶシェードに接続される少なくとも１つのエンドレスベルトを含み、エンドレスベルトが、開位置、閉位置、および開位置と閉位置との間の任意位置の間でＵＶシェードを移動させるように構成される、請求項９に記載の装置。
【請求項１５】
ＵＶ室から空気を除去するためのファンと、
ＵＶ室から除去された空気を調整するための熱交換器と、
ウエブがＵＶ室を通って移動する際、調整された空気をウエブ上にわたって通過させるためのプレナムとを有する、空気循環システムをさらに備える、請求項５に記載の装置。
【請求項１６】
酸素捕集組成を有する膜を活性化するためのシステムであって、
不活性状態にある酸素捕集組成を有する不活性膜のロールと、
膜を活性化させるためのＵＶ室とを備え、
前記ＵＶ室が、
不活性膜が通ってＵＶ室に入る入口と、
一連に構成され、ＵＶ室に配置された複数のＵＶ灯であって、一連のＵＶ灯が、ＵＶ光が透過可能である第１の側面および第２の側面を有する、前記複数のＵＶ灯と、
酸素捕集組成が、ＵＶ光に曝露されることによって活性化されるように、前記ＵＶ室に配置され、かつ一連のＵＶ灯の第１の側面および第２の側面に近接して膜を向けるための膜経路を画定する複数のガイドロールと、
第１の側面および第２の側面の回りを包むことができ、ＵＶシェードが開いている程度を調節することによって、膜が曝露されるＵＶ光の照射量を制御するように構成され、かつ端部を有する可動のＵＶシェードと、
異なる開放度間でＵＶシェードを移動させるように動作可能なシェード駆動システムと、
活性膜が通ってＵＶ室を出ることが可能である出口とを有し、
酸素捕集組成を有する膜を活性化するための前記システムが、さらに、
ＵＶ室を通る膜経路に沿って膜を駆動するための駆動ロールと、
シェード駆動システムおよび駆動ロールに動作式に接続され、ＵＶシェードが開いている程度を調節することによって、およびＵＶ室を通って進行する際の膜の速度を調節することによって、膜が曝露されるＵＶ光の照射量が制御されるように、ＵＶシェードの移動を命令するように構成される制御ユニットとを備える、システム。
【請求項１７】
制御ユニットが、ＵＶシェードを移動させるように動作可能であり、該移動の速度が、ほぼ膜がＵＶ室を通って進行する速度のレートである、請求項１６に記載のシステム。
【請求項１８】
制御ユニットが、膜の前進運動が停止されたとき、ＵＶシェードを閉位置に移動させるように構成される、請求項１６に記載のシステム。
【請求項１９】
活性膜を貯蔵するための在庫システムをさらに備え、在庫システムが、高容量状態と低容量状態との間を移動することができる在庫シャトルを有する、請求項１６に記載のシステム。
【請求項２０】
在庫システムが、制御ユニットに動作式に接続され、制御ユニットが、活性膜を使用するパッケージング動作の中断に応答して、以下の少なくとも１つ、すなわち、
不活性膜をＵＶ室に取り入れるのを停止することと、
ＵＶシェードを閉位置に移動するように命令することと、
ＵＶ室に配置されたあらゆる活性膜を取込んで貯蔵するように在庫システムを指示することとの少なくとも１つを実施するように構成される、請求項１９に記載のシステム。
【請求項２１】
ＵＶ灯シェードが、ほぼすべての活性膜がＵＶ室を出るのとほぼ同時に、閉位置に移動される、請求項２０に記載のシステム。
【請求項２２】
ＵＶシェードが、ＵＶ灯のバンクの第１の側面および第２の側面の回りの膜経路とほぼ平行である経路において、開位置から閉位置に移動するように構成され、ＵＶシェードが閉位置に移動されるレートが、ほぼ膜がＵＶ室を通って進行している速度である、請求項１６に記載のシステム。
【請求項２３】
酸素捕集組成を有する膜が曝露されるＵＶ照射量を制御する方法であって、
不活性の酸素捕集組成を有する膜を提供することと、
膜をＵＶ室に通過させることであり、該ＵＶ室が、ＵＶ光源と、ＵＶ光源と膜との間に少なくとも部分的に配置することができる可動のＵＶシェードとを含む、膜をＵＶ室に通過させることと、
酸素捕集剤を活性化するために、十分な時間量の間、膜をＵＶ光源に曝露させることと、
ＵＶシェードが、ＵＶ光源と膜との間に配置される程度を調節することによって、膜が曝露されるＵＶ光の照射量を制御することと、
活性膜をパッケージングシステムに供給することと、
パッケージングシステムの停止動作に応答してＵＶシェードを閉位置に移動することとを含み、ＵＶシェードは、ほぼ膜が進行しているレートで閉位置に移動する、方法。
【請求項２４】
膜が進行している速度を調節し、それにより、膜が曝露されるＵＶ光の照射量を制御するステップをさらに含む、請求項２３に記載の方法。
【請求項２５】
ＵＶシェードが、ＵＶ光源からのＵＶ光が不活性膜に接触するのをほぼ防止するように、パッケージングシステムの動作の停止に応答してＵＶシェードを閉位置に移動させるステップをさらに含む、請求項２３に記載の方法。
【請求項２６】
ほぼ膜が進行している速度になるように、ＵＶシェードが閉位置に移動されるレートを調節するステップをさらに含む、請求項２５に記載の方法。
【請求項２７】
膜の前進進行の停止に応答して、ＵＶシェードを閉位置に移動させるステップをさらに含む、請求項２３に記載の方法。
【請求項２８】
ＵＶ室の下流側のある点において膜の前進進行の停止を検出するステップと、
ＵＶ光が、不活性膜を活性化するのをほぼ防止されるように、ＵＶ室に入る不活性膜とＵＶ光源との間に配置されるように、ＵＶシェードを移動させるステップと、
活性膜、および活性化されるプロセスにある膜を、ＵＶ室の外部および在庫システムに駆動するステップと、
活性化されているプロセスの膜が、ＵＶ室を出る前に活性化されるように、ほぼ膜が進行している速度のレートでＵＶシェードを閉位置に移動するステップと、
ＵＶシェードをほぼ閉位置に配置するステップと、
ほぼすべての活性膜がＵＶ室を出たとき、ＵＶ室における膜の前進進行を停止するステップとをさらに含む、請求項２３に記載の方法。
【請求項２９】
ロールが、ＵＶ室内に配置され、ＵＶシェードが、前記ロールに巻き付けられるように構成されかつ配置される、請求項１に記載の装置。
【請求項３０】
ロールが、ＵＶ室内に配置され、ＵＶシェードが、前記ロールに巻き付けられるように構成されかつ配置される、請求項１６に記載のシステム。
【発明の詳細な説明】
【技術分野】
【０００１】
本発明は、一般的には、酸素感受性材料のパッケージングに使用される物品に関し、より具体的には、酸素捕集（ｓｃａｖｅｎｇｉｎｇ）組成のトリガに関する。
【背景技術】
【０００２】
酸素感受性物品の酸素への曝露を低減することにより、物品の品質および貯蔵寿命が、維持されかつ改善される。たとえば、パッケージングシステムにおいて酸素感受性食品製品の酸素曝露を低減することにより、食品製品の品質が維持され、食品の腐敗が回避される。酸素曝露を低減することにより、在庫に製品がより長く維持され、それにより廃棄および補充しなければならないことにより被るコストが削減される。
【０００３】
酸素曝露を低減する１つの方法は、酸素捕集剤（スカベンジャ）をパッケージング構造に組み込むものである。酸素捕集組成は、所与の環境の酸素量を消費し、枯渇させ、または低減する組成である。酸素捕集の応用分野において使用することができる、多様な異なる組成が存在する。例示的な組成が、Ｓｐｅｅｒらへの米国特許第５２１１８７５号、米国特許第５３５０６２２号、米国特許第５３９９２８９号、および米国特許第５８１１０２７号、ならびにＣａｉらへの国際公開第第９９／４８９６３号に記載されており、すべて参照によって完全に組み込まれている。酸素捕集組成は、活性化またはトリガの際に酸素を捕集することができる、置換または非置換のエチレン不飽和組成を含むことができる。酸素捕集組成は、酸素捕集の活性化を補助する金属触媒および光開始剤を含むこともでき、組成を化学線放射など、酸素捕集を開始するのに十分な時間量で十分な出力を有する放射源に曝露することによって、「トリガ」されることができる。高温も、酸素捕集組成のトリガを補助することができる。
【０００４】
酸素捕集組成をトリガする方法は、通常、約５ｍＷ／ｃｍ２から１０ｍＷ／ｃｍ２の強度出力を有する低圧水銀殺菌灯を使用する。これらの灯は、主な放出が２５４ｎｍにおいてであるので、一般に殺菌と呼ばれる。ＵＶ光曝露中、組成は、トリガをさらに向上させるように加熱されることもできる。組成を加熱することにより、より低いＵＶ照射量で酸素捕集組成をトリガすることが可能になる。酸素捕集膜および物品をトリガするための機器システムおよび方法が、Ｌｕｔｈｒａらへの米国特許第６２８７４８１号、Ｃｏｏｋらへの米国特許第６４４９９２３号、Ｃｏｏｋらへの米国特許第６２３３９０７号、およびＢｅｃｒａｆｔらへの米国特許第５９１１９１０号、ならびに２００４年１２月８日に出願された高速トリガシステムを対象とした同時係属米国特許出願第１１／００７８２１号に記載されており、これらはすべて本明細書において完全に組み込まれている。
【特許文献１】米国特許第５２１１８７５号明細書
【特許文献２】米国特許第５３５０６２２号明細書
【特許文献３】米国特許第５３９９２８９号明細書
【特許文献４】米国特許第５８１１０２７号明細書
【特許文献５】国際公開第９９／４８９６３号パンフレット
【特許文献６】米国特許第６２８７４８１号明細書
【特許文献７】米国特許第６４４９９２３号明細書
【特許文献８】米国特許第６２３３９０７号明細書
【特許文献９】米国特許第５９１１９１０号明細書
【特許文献１０】同時係属米国特許出願第１１／００７８２１号明細書
【特許文献１１】米国特許第６９４２８２１号明細書
【特許文献１２】米国特許第５４９８３６４号明細書
【特許文献１３】国際公開第９５／０４７７６号パンフレット
【特許文献１４】国際公開第９５／０２６１６号パンフレット
【特許文献１５】米国特許第５９５８２５４号明細書
【特許文献１６】米国特許第５８５９１４５号明細書
【特許文献１７】米国特許第６２５５２４８号明細書
【特許文献１８】米国特許第６２１４２５４号明細書
【特許文献１９】米国特許出願第１０／７４６６２６号明細書
【特許文献２０】国際公開第０２／１８４８９号パンフレット
【特許文献２１】米国特許第６５９９５９８号明細書
【発明の開示】
【発明が解決しようとする課題】
【０００５】
いくつかの状況では、酸素捕集組成が、ＵＶ光にさらに曝露される、または曝露されていることを限定する、または防止することが望ましい可能性がある。現在の方法および機器は、ＵＶ曝露を防止するまたは限定するために、灯を消すことに依拠する可能性がある。しかし、多くの殺菌灯は、ターンオンおよびターンオフされることに鋭敏である可能性がある。いくつかの場合、オン／オフサイクルを増大することにより、灯の寿命が著しくより短くなる可能性がある。したがって、ＵＶ灯をターンオンおよびターンオフする必要性の低減を補助する酸素捕集組成が曝露されることができる光の量を限定する必要性が存在する。
【課題を解決するための手段】
【０００６】
本発明は、酸素捕集組成が曝露されることができるＵＶ光の量を制御するのを補助することができる、酸素捕集組成を活性化するための装置および方法を提供する。一実施形態では、本発明は、膜と１つまたは複数のＵＶ灯との間に少なくとも部分的に配置することができるＵＶシェードを含む、酸素捕集組成を有する膜を活性化するための装置を対象とすることができる。ＵＶシェードは、ＵＶ光が膜に接触することをほぼ防止することができる、ＵＶ不透過性材料を含むことができる。その結果、ＵＶシェードを使用して、ＵＶ灯をターンオフすることを必要とせずに、ＵＶ光の曝露を限定することが可能である。
【０００７】
一実施形態では、装置は、バンクに構成され、かつＵＶ室に配置された複数のＵＶ灯を備えることができ、ＵＶ灯のバンクは、ＵＶ光が透過可能な第１の側面および第２の側面を含む。装置は、ＵＶ灯のバンクの第１の側面および第２の側面にごく近接して膜を向けるための膜経路を画定する、ＵＶ室に配置された一連のガイドロールを含むこともできる。装置は、ＵＶ灯の第１の側面および第２の側面の回りを包むように構成されかつ配置される、引込み可能かつ伸張可能なＵＶシェードを含むこともできる。一実施形態では、ＵＶシェードは、シェードが開いている程度を調節することによって、膜が曝露されるＵＶ光の照射量が制御されることが可能であるように、開位置、部分開位置、および閉位置の間を移動するように構成されることができる。
【０００８】
他の実施形態では、装置は、異なる開放度間でＵＶシェードを移動させることができる、シェード駆動機構を含むこともできる。一実施形態では、シェード駆動機構は、少なくとも１つのエンドレスベルトを含み、このエンドレスベルトは、ＵＶシェードの縁部が取り付けられ、かつＵＶ灯の第１の側面および第２の側面の回りにシェードを包み、それにより、膜に接触することが可能であるＵＶ光の量を制御するように動作可能である。さらに他の実施形態では、ＵＶシェードは、ＵＶ灯の第１の側面および第２の側面の回りの膜経路とほぼ平行である経路において、かつ膜がＵＶ室を通って進行している速度に近い速度のレートで、開位置と閉位置との間を移動するように構成されることができる。その結果、ＵＶシェードを使用して、ＵＶ光が、不活性膜に接触するのを防止し、同時に、活性化されるプロセスにおいて酸素捕集組成を引き続き活性化するのを可能にすることができる。一実施形態では、ＵＶシェードは、活性膜のほぼすべてがＵＶ室を出たとき、閉位置に移動されることができる。装置は、ＵＶ室を通って膜を駆動するように構成される被駆動ロールを含むこともできる。膜が曝露されるＵＶ照射量は、膜がＵＶ室を通って進行する速度のレートを制御することによって制御されることもできる。
【０００９】
一実施形態では、装置は、酸素捕集組成を活性化するためのシステムに含まれる。システムは、ＵＶ室に配置されたあらゆる活性膜を取り上げることができる、在庫セクションを含むことができる。いくつかの実施形態では、在庫システムは、酸素捕集組成が曝露されることができる光の量を限定するために、ＵＶシェードおよび被駆動ロールと関連して使用されることができる。一実施形態では、ＵＶシェードは、膜の前進進行の停止など、所定の事象に応答して閉位置に移動されることができる。他の実施形態では、所定の事象は、ＵＶ室の下流側で生じる可能性がある、パッケージング動作の停止とすることが可能である。
【００１０】
停止または他の事象に応答して、ＵＶシェードは、膜がＵＶ室を通って進行する速度に近い速度のレートで、閉位置に移動されることができる。シェードが閉位置に移動される際、ＵＶ室に入る不活性膜が、ＵＶ光に曝露されることが防止される。ＵＶ室にすでにあり、かつ活性化されるプロセスにある膜は、ＵＶシェードによって遮蔽されず、ＵＶ室を出る前に活性化されることができるように、ＵＶ室を通って進行する際、ＵＶ光に曝露されることが可能である。ＵＶシェードは、ほぼすべての活性膜がＵＶ室を出たとき、閉位置に配置されることができる。膜の進行運動は、この時点において停止されることができる。いくつかの実施形態では、ＵＶ室を出る活性膜は、在庫システムに一時的に貯蔵されることができる。
【００１１】
さらに他の実施形態では、システムおよび装置は、ＵＶシェードおよび被駆動ロールに動作式に接続されることができる、プログラム可能な論理制御装置などの制御ユニットを含むことができる。他の実施形態では、制御ユニットは、在庫システムの動作を制御するように構成されることもできる。制御ユニットは、一実施形態では、組成に接触することが可能であるＵＶ光の量を制御し、かつウエブがＵＶ室を通って進行する速度のレートを制御することによって、酸素捕集組成が曝露されることができるＵＶ照射量を制御することができる可能性がある。
【００１２】
したがって、本発明は、酸素捕集組成が曝露されることが可能であり、ＵＶ灯をターンオフすることを必要とせずに、ＵＶ光が酸素捕集組成に接触することを実質的に防止するために使用することができる、ＵＶ照射量を制御する装置および方法を提供する。
【００１３】
以上において本発明を全般的に記述したが、ここで、必ずしも縮尺調整して描かれていない添付の図面を参照する。
【発明を実施するための最良の形態】
【００１４】
本発明は、本発明の実施形態のすべてではないが、いくつかが示されている添付の図面を参照して、以下においてより完全に記述される。実際、本発明は、多くの異なる形態において実現されることが可能であり、本明細書において述べられる実施形態に限定されると解釈されるべきではない。むしろ、これらの実施形態は、本開示が適用可能な法的要件を満たすように提供される。同じ参照符号は、図面にわたって同じ要素を指す。
【００１５】
図１を参照すると、酸素捕集組成を活性化するためのシステムが示され、参照符号１０によって全体的に指定されている。図１に示されるように、システムは、酸素捕集組成を活性化するためのＵＶ室１２を含むことができる。ＵＶ室は、酸素捕集組成を活性化するのに十分な出力を有するＵＶ光を放出するＵＶ光源１４を含む。いくつかの実施形態では、酸素捕集組成は、膜などの可撓性材料に配置されることができ、この可撓性材料は、ＵＶ室を通って進行し、かつ酸素捕集組成を活性化するのに十分な滞在時間の間、十分な強度のＵＶ光源に曝露される。本明細書において使用される「膜」という用語は、非限定的に基板またはキャリア上のラミネート、ウエブ、シート、およびコーティングなどを含めて、ＵＶ室と関連して使用することができる様々な異なる可撓性材料を言及すると理解されたい。一実施形態では、本発明は、物品のパッケージングに使用することができる酸素捕集組成を活性化するのに特に有用であり得る。例には、剛性、半剛性、または可撓性製品において構成要素として使用することができる膜、パッケージ内においてクーポンまたはインサートとして使用することができる膜、酸素障壁膜の上、酸素障壁膜内、または酸素障壁膜の一部として含むことができる膜、あるいは、比較的高い酸素透過レートを有する膜を含む。
【００１６】
一実施形態では、システムは、活性膜を一時的に蓄積するための在庫セクション１６、および製品または貯蔵物をパッケージングするためのパッケージングシステム１８を含むことができる。いくつかの実施形態では、膜の連続ロール２０から、不活性の酸素捕集組成を有する膜を提供することができる。一実施形態では、膜２２は、ＵＶ室１２に入り、酸素捕集組成を活性化するのに十分な滞在時間の間、十分な強度のＵＶ光源に曝露されることができる。本発明のシステムは、膜が、本明細書において記述されるように活性化されることと、次いで、活性膜が、酸素感受性製品などの物品をパッケージングするために使用されるパッケージングシステム１８に進行されることとの両方が行われる設備においてなど、パッケージング環境において使用することができることに留意されたい。代替として、システムは、膜製造位置において、または膜が本明細書において記述されるように処理され、次いで膜が貯蔵され、かつ物品のパッケージングが実施される位置に輸送される位置において、本明細書において記述されるように膜を活性化するために使用することができる。したがって、本発明のシステムおよび方法は、パッケージング動作とは無関係に実施することができる。活性膜がパッケージングの用途に使用されるまで、活性膜の酸素捕集機能を実質的に保持するために、複数のステップを取り入れることができる。これを実施するための１つの方法が、参照によって本明細書に完全に組み込まれる、Ｄａｙｒｉｔらへの米国特許第６９４２８２１号に開示されている。
【００１７】
トリガ室とも呼ばれるＵＶ室１２は、ＵＶ室の内部空間２６に配置される１つまたは複数のＵＶ灯２４を含むことができる。一実施形態では、ＵＶ灯は、灯バンク２８に配置されることができ、この灯バンク２８において、ＵＶ灯が、間隔をおいて、かつ互いにほぼ平行に配置されることができる。他の実施形態では、ＵＶ灯は、非線形構成など、他の向きに構成されることができる。いくつかの実施形態では、ＵＶ室は、２つ以上のＵＶ灯バンクを含むことができる。いくつかの実施形態では、ＵＶ灯バンクは、複数のＵＶ灯を含むことができ、これら複数のＵＶ灯は、互いにほぼ平行であり、かつ膜への最適曝露を可能にするように並んで配置されることができる。いくつかの実施形態の灯バンクは、約５個から２０個のＵＶ灯を有することができる。灯バンクは、広範な構造および形態を有することができる。膜とＵＶ灯との距離は、約４ｃｍなど、約１ｃｍから８ｃｍとすることができる。
【００１８】
本発明において有用な灯は、灯の表面から約５．１ｃｍ（２インチ）の距離、および約７１℃（約１６０°Ｆ）の空気温度において測定された、通常は約１０ｍＷ／ｃｍ２から３５ｍＷ／ｃｍ２である２５４ｎｍにおける出力強度を有する。出力強度の適切な値は、約１５ｍＷ／ｃｍ２から３５ｍＷ／ｃｍ２である。殺菌性波長のＵＶ光などのＵＶ−Ｃ光が、ある酸素捕集組成をトリガするのに有効であることが判明した。有用な波長は、たとえば、２５４ｎｍなど、２００ｎｍと２８０ｎｍとの間にある。いくつかの実施形態では、ＵＶ灯は、水銀アマルガム灯を備えることができる。低圧水銀アマルガム灯は、２００ｎｍと２８０ｎｍとの間にある波長で最高出力を生成する殺菌灯である。この領域内において、灯は、２０ｍＷ／ｃｍ２を超える強度を生成することができる。通常、水銀アマルガム灯は、約１５ｍＷ／ｃｍ２から３５ｍＷ／ｃｍ２である２５４ｎｍにおける強度を有することができる。
【００１９】
図１に示されるように、トリガ室１２は、膜が通って室に入り、または通って室を出ることができる開口またはスリットを、室において画定する入口３０および出口３２を含むことができる。膜は、被駆動ロール３４または膜を進行させるためのあらゆる他の適切な手段で、室１２を通って前進するように駆動されることができる。被駆動ロールの速度は、膜が曝露されるＵＶ照射量を制御するのを補助するように調節することもできる。被駆動ロールは、ニップロールなど、所望の方向に膜を駆動するために使用することができる、広範なロールから選択することができる。被駆動ロールは、電気モータまたは空気圧モータなど、モータデバイスで動かされることができる。図１に示された実施形態では、トリガ室は、出口３２に隣接して配置された被駆動ロールを含む。被駆動ロールは、代替として、入口または出口に隣接した室内に配置されることができる。被駆動ロール３４の厳密な配置は、本発明の実施には決定的ではないこと、および、ロールは、被駆動ロールが所望のレベルの張力および所望の速度のレートで膜の前進運動を維持することができるとすれば、室内または室外の他の位置に配置することも可能であることを理解されたい。いくつかの実施形態では、トリガ室は、２つ以上の被駆動ロールを含むことができる。一実施形態では、ＵＶ室は、膜をＵＶ室の中に前進させるように駆動する第１の被駆動ロール、および室内から外部に膜を駆動するために使用されることが可能である第２の被駆動ロールを含むことができる。２つ以上の被駆動ロールを有する実施形態では、被駆動ロールの速度は、膜の張力を増大または減少させるように調節することができる。代替として、活性膜を下流側のパッケージングシステムに供給する本発明のシステムの実施形態では、パッケージシステム内に活性膜を進行させる手段を使用して、ＵＶシェードシステムを含む室を通り、次いで室外に出て、パッケージングシステム中に不活性膜を引くことができる。
【００２０】
一実施形態では、被駆動ロール３４は、所望のレベルの張力で膜を維持するのを補助することもできる。トリガ室内において膜を所望のレベルの張力に維持することは、より高い温度において生じることがある、膜のカールまたはしわを低減または排除するのを補助する。膜は、ある張力で維持されるべきであり、その張力は、膜の制御を維持し、かつより高い温度において膜がカールする、またはしわになる傾向を克服するのに十分である。いくつかの実施形態では、室のウエブまたは膜の張力は、膜の幅の線形インチあたり（ＰＬＩ）約０ｋｇから約１．１ｋｇ（約０ポンドから２．５ポンド）に維持される。いくらかより一般的には、張力は、０ＰＬＩよりわずかに大きく、かつ０．２５ＰＬＩから１．０ＰＬＩなど、２．５ＰＬＩ未満である。過剰な張力により、膜が細長くなり、膜の幅の減少が付随することがある。
【００２１】
トリガ室は、ＵＶ灯２４にごく近接して膜２２を向けて誘導する一連のガイドロール３６を含むことができる。室に入る際、膜の経路は、ガイドロールによって向けられかつ画定されることができる。いくつかの実施形態では、ＵＶ灯は、膜が沿って向けられることができる第１の側面３９および第２の側面４１を含むように、室において構成されることができる。これに関して、図１は、ＵＶ灯の第１の側面および第２の側面にごく近接して膜経路を画定する複数のガイドロールを示す。一実施形態では、膜は、ＵＶ灯の第１の側面にごく近接して膜経路に沿って向けられ、次いで、ＵＶ灯の第１の側面から第２の側面を包むことができる。ガイドロール３６は、ＵＶ灯にごく近接して膜を向けることができる。ＵＶ灯の第１の側面および第２の側面にごく近接した膜の進行は、酸素捕集組成を活性化するために使用されることができる。この実施形態では、膜とＵＶ灯の第１の側面との距離は、膜とＵＶ灯の第２の側面との距離と同じであるかまたは異なることができる。
【００２２】
一実施形態では、トリガ室は、膜が曝露されることができるＵＶ照射量を制御することができる、照射量管理システムを含むこともできる。一実施形態では、照射量管理システムは、膜経路とＵＶ灯との間に配置することができるＵＶシェード３８を備えることができる。いくつかの実施形態では、ＵＶシェードは、開位置、部分開位置、および閉位置の間を可動であり得る。その結果、膜が曝露されることができるＵＶ照射量は、シェードが開いている程度を調節することによって制御することができる。
【００２３】
以下においてより詳細に議論されるように、トリガ室は、開位置、部分開位置、および閉位置の間でＵＶシェードを移動させるように動作可能な、シェード駆動システムを含むことができる。シェード駆動システムは、シェードロール４０を備えることができ、そのシェードロール４０から、ＵＶシェードを伸張可能および／または引込み可能である。一実施形態では、ＵＶシェードは、ＵＶ灯の第１の側面および第２の側面の回りを包む少なくとも１つのエンドレスベルト４４に取り付けられる前縁４２を含むことができる。エンドレスベルトは、ＵＶ灯の回りにエンドレスベルトを駆動するように動作可能なモータ（簡潔には図２の参照符号５０を参照されたい）と機械的に連絡することが可能である。一実施形態では、ＵＶ灯の回りにエンドレスベルトを駆動することにより、ＵＶシェードは、シェードロール４０の外部に伸張され、またはシェードロール４０に引き込まれる。他の実施形態では、エンドレスベルトは、ＵＶ灯の第１の側面から第２の側面にＵＶシェードを包むために使用することができる。
【００２４】
一実施形態では、ＵＶ光は、ＵＶシェードを閉位置に移動させることによって、膜に接触することが実質的に防止されることができる。「閉位置」によって、ＵＶ灯２４からのＵＶ光が膜２２に到達するのを防止される程度まで、ＵＶシェード３８がシェードロール４０の外部に伸張された位置を意味する。ＵＶ光が膜に接触することを防止することは、不活性膜が活性化されることを防止するのを補助することができる。いくつかの実施形態では、ＵＶシェードを使用して、ＵＶ灯をターンオフすることを必要とせずに、ＵＶ室に配置されている、またはＵＶトリガ室に入るプロセスにある不活性膜が、活性化されることを防止することができる。上記で議論されたように、いくつかのＵＶ灯は、ターンオフおよびターンオンされることによって悪影響を受ける可能性がある。現在の方法および機器は、膜の過剰曝露を防止するために、灯をターンオフすることに依拠する可能性がある。しかし、オン／オフサイクルを増大することにより、灯の寿命が著しくより短くなることがある。したがって、灯の追加のオン／オフサイクルを必要としない、照射量管理システムを有することが望ましい。さらに、ＵＶシェードを閉じることにより、膜が、ＵＶ曝露を有さずにトリガ室内を進行するのが可能になり得る。したがって、ＵＶ曝露は、灯をターンオフすることを必要とせずに、排除する、または実質的に防止することができる。これは、水銀アマルガム灯を使用するときに特に有用であることがある。通常、アマルガム灯は、標準的な灯より、コールドスタートからのより長いウオームアップ時間を有し、標準的な殺菌灯より、オン／オフサイクルによってさらに有害に影響を受ける可能性もある。
【００２５】
上述されたように、ＵＶシェードは、比較的開いた位置から閉位置の間、およびその反対に移動することができる。その結果、ＵＶシェードは、膜が受け取るＵＶ曝露量を変更することができるように、位置（シェードロール４０からの伸張の程度）を変更することができる。この特徴は、パッケージング速度が普通に変化する、またはいくらか断続的である可能性がある条件を含めて、ある範囲のパッケージング速度にわたって酸素捕集膜を活性化するのに特に有用である。たとえば、すべてのパラメータが適切に動作し、次いでより高い速度に上昇するまで、オペレータが、低速度でパッケージングラインを始動することが一般的であり得る。これらの条件下で、一定のＵＶ照射量および一貫した酸素捕集は、トリガ室で維持されることができる。さらに、トリガ室によって、異なる酸素捕集組成を有する多様な膜、または異なる末端使用用途を意図した所与の膜を、活性化することができる。たとえば、より低い捕集レートが望ましい場合、ＵＶシェードは、膜に接触するＵＶ光の量を減少させるように再配置することができる。より迅速な捕集レートが望ましい場合、ＵＶシェードは、より多くのＵＶ光の量が膜に接触することを可能にするように再配置することができる。したがって、照射量管理システムは、膜が受け取るＵＶ曝露量を制御するために使用することもできる。
【００２６】
一実施形態では、ＵＶシェードは、ＵＶ灯と膜との間に少なくとも部分的に配置することができることが可能である。これに関して、図２は、ＵＶ灯シェードが、複数のＵＶ灯と、酸素捕集組成を有する膜との間に部分的に配置されて描かれている実施形態を示す。上記で議論されたように、トリガユニットは、異なる開放度間でＵＶシェードを移動させるために動作可能なシェード駆動システムと機械的に連絡する、ＵＶシェードを備えるＵＶ照射量管理システムを含むことができる。図示されるように、シェード駆動システムは、ＵＶシェード３８の前縁４２が取り付けられることができる、２つのエンドレスベルト４４を備えることができる。一実施形態では、モータ５０が、駆動シャフト５２と機械的に連絡することができ、駆動シャフト５２は、複数のＵＶ灯２４の回りにエンドレスベルト４４を駆動する１対のプーリを含むことができる。いくつかの実施形態では、アイドラロール５４が、駆動シャフト５２の回りに回転式に配置されることができる。一実施形態では、アイドラロール５４は、ＵＶシェードが、複数のＵＶ灯の回りを包み、開位置と閉位置との間を移動する際、ＵＶシェードが上を進行することができる表面を提供する。駆動シャフト５２の回転により、エンドレスベルト４４を、複数のＵＶ灯の第１の側面および第２の側面の回りに回転させることができる。エンドレスベルト４４の回転により、ＵＶシェードを、ＵＶシェードロール４０から伸張させるまたは引き込ませる。いくつかの実施形態では、ＵＶシェードは、解放されるとき、ＵＶシェードが自動的に引き込まれ、それによりシェードを開いて、ＵＶ灯を曝露させることができるように、ばねの張力下にあり得るロール４０に配置することができる。ＵＶシェードロール４０は、巻付け機構を含むことができ、ロール４０に接続されることができる巻取りシャフト（図示せず）を含むこともできる。巻取りシャフトは、ＵＶシェードをロールに巻き付け、それによりシェードを開くように作動させることができる。巻付け機構および巻取りシャフトは、所望のレベルのＵＶ曝露を提供するように、手動でまたは自動的に調節されることができる。
【００２７】
他の実施形態では、ＵＶシェードは、膜がトリガ室を通って進行する際、膜の経路にほぼ平行な経路に沿って、複数のＵＶ灯の第１の側面および第２の側面の回りを包むことができる。一実施形態では、ＵＶシェードが開位置から閉位置に移動する方向は、膜が複数のＵＶ灯にごく近接して進行する際、膜の方向とほぼ同じであり得る。これに関して、図２は、膜が複数のＵＶ灯にごく近接して進行する際、ＵＶシェードの経路が、膜の経路にほぼ平行である実施形態を示す。図２はまた、膜が複数のＵＶ灯にごく近接して進行する際、膜の方向とほぼ同じである方向で、開位置から閉位置に移動するＵＶシェードを示す。以下においてより詳細に議論されるように、照射量管理システムは、広範なパッケージング速度にわたって一貫したＵＶ照射を膜に提供するようにプログラムすることができ、かつ過剰曝露を防止するために灯をスイッチオフする必要性を排除することができる、制御ユニットと関連して使用することもできる。
【００２８】
一実施形態では、複数のＵＶ灯は、ＵＶ光が透過することができる１対の２重ウィンドウを有する、密閉カセットの形態の灯バンクを備えることができる。これに関して、図３および図４は、複数のＵＶ灯がカセットに配置される実施形態を示す。図３に示されるように、ＵＶカセット６０は、内部に配置された複数のＵＶ灯を有するカセットハウジング６２を備えることができる。カセットハウジングは、ＵＶ灯が配置される密閉空間を共に形成する、第１のパネル６４および第２のパネル６６を備えることができる。通常、パネル６４、６６の両方とも、ＵＶ光が透過可能である開口またはウィンドウ６８を有する。開口６８は、ＵＶ光が透過することができる薄いペイン（ｐａｎｅ）７０で覆うことができる。いくつかの実施形態では、ウィンドウペインは、いくつかの機能を果たすことが可能である。一実施形態では、ウィンドウペインは、ＵＶ灯が破損した場合、汚染の生成が限定され、すなわち、粉砕された石英が膜に接触するのが防止されるように、ＵＶ灯を密閉することができる。ウィンドウペインは、空気循環システムでＵＶ灯の表面にわたって制御された気流を導入されることができるように、カセットを囲むこともできる。ウィンドウペイン７０は、石英、またはＦＥＰ−Ｔｅｆｌｏｎ（登録商標）などのフルオロカーボンポリマーの薄いシートなど、ＵＶ透過性材料を備えることができる。一実施形態では、ウィンドウペイン７０は、約０．０２５ｍｍから約０．１８ｍｍ（約１ミルから７ミル）の厚さとすることができる。他の実施形態では、ＵＶ灯は、ランプが破損した場合、膜を破片から保護することができる外部スリーブ（図示せず）を含むことができる。スリーブは、灯に加えることができる収縮可能な部材またはコーティングとすることができる。スリーブの１つのタイプは、灯の回りに熱収縮されることが可能であるＦＥＰ−Ｔｅｆｌｏｎ（登録商標）を備える。
【００２９】
ＵＶシェードは、ＵＶ不透過性であり、かつＵＶ光がＵＶ灯から開口６８を経て透過するのを実質的に防止する、様々な材料で構築されることができる。いくつかの実施形態のＵＶシェードは、フォイルなどの薄い可撓性材料で構築することができる。適切な材料には、ステンレススチール、アルミニウム、金属合金、ＵＶ不透過性プラスチック膜、金属被覆プラスチック膜、ＫＡＰＴＯＮ（登録商標）ポリイミド膜、Ｔｅｆｌｏｎ（登録商標）含浸ガラスクロスなどがあるが、これに限定されるものではない。
【００３０】
図４では、カセットハウジングの外部パネルが取り外されている。図示されるように、ＵＶ灯２４は、灯バンク２８を備えることができ、ＵＶ灯は列に構成され、互いにほぼ平行である。いくつかの実施形態では、カセットハウジング６２の対向縁７２、７４は、空気がＵＶ灯の表面にわたって導入されることが可能である、入口７６および出口７８を含むことができる。ＵＶ灯は、約４９℃（約１２０°Ｆ）を超える温度で熱を生成することができる。いくつかの実施形態では、トリガ室は、所望の温度にＵＶ灯を維持するのを補助する空気循環システムを含むことができる。これに関して、図４は、入口７６を介してカセットハウジングに入り、かつ出口７８を介してカセットを出る調整空気を示す。いくつかの実施形態では、カセットを出る空気は、熱交換およびブロワを通って再循環されることができる。他の実施形態では、カセットを出る空気は、トリガ室の中に放出されることができる。灯空気循環システムは、ファンまたはブロワ、熱交換器、ならびにプレナム（ｐｌｅｎｕｍ）を備えることができる。加熱された空気は、ファンによってトリガ室の内部から除去され、熱交換器に向けられることができる。熱交換器において、空気は、冷却または加熱されるなど調整され、次いでプレナムに向けられ、プレナムで、入口７６を介してＵＶ灯２４と接触するようにその後向けられる。矢印は、カセットハウジングを通る空気流を表す。
【００３１】
トリガ室は、所望の温度に膜を維持するための別の空気取扱いシステムを含むこともできる。多くのＵＶ灯は、ＵＶ−Ｃ光および熱の両方を生成する。灯からの赤外線エネルギーは、約３８℃から約７２℃（約１００°Ｆから１６０°Ｆ）にわたることができる温度まで、膜を加熱するために使用することができる。いくつかの実施形態では、膜は、約４９℃（１２０°Ｆ）を超える温度まで加熱されることがある。一実施形態では、膜は、約６０℃から約７２℃（約１４０°Ｆから１６０°Ｆ）の温度に加熱されることがある。膜が所望の温度を超えるのを防止するのを補助するために、空気循環システムを使用することができる。空気循環システムは、膜を所望の温度に加熱するために使用することもできる。これに関して、図５および図６は、膜の温度を制御するために使用されることができる空気取扱いシステム８０を示す。図５は、トリガ室から加熱空気を除去し、またはトリガ室の中に加熱空気を導入し、調整空気を膜にわたって導入するように構成される、空気取扱いシステムを示す斜視図である。図６は、膜経路にわたって導入され、かつトリガ室から除去される調整空気を示す、断面側面図である。いくつかの実施形態では、空気取扱いシステムは、膜および灯を所望の温度に維持するために使用することができる空気循環システムを備えることができる。空気循環システム８０は、空気取入れ口８２、熱交換器（図示せず）、ファンまたはブロワ（図示せず）、およびプレナム８６を含むことができる。ファンまたはブロワは、トリガ室の中から加熱空気を引き出す。加熱空気は、取入れ口８２に引き込まれ、その後、熱交換器を通過する。熱交換器は、空気を調整するために使用することができる。次いで、空気は、この段階では調整されている空気を膜２２と接触するように向けるプレナム８６を経て、ファンによって向けられる。その結果、膜２２の温度は、膜を損傷またはカールせずにトリガが向上されるように、所望の温度に維持されることができる。室は、わずかに負の圧力で動作されることができる。図示されていないが、ベントが、空気のある部分を室外に排気するために使用されることができる空気循環システム８０内に配置されることができる。トリガ室は、膜がＵＶ室に入る前に、膜を加熱するために随意選択の赤外線ヒータ（図示せず）を含むこともできる。
【００３２】
いくつかの実施形態では、トリガ室は、プログラム可能な論理制御装置など、制御ユニットに動作式に接続されることができる。制御ユニットは、膜の張力、膜の速度、ＵＶ照射量、温度などを動作式に制御するために使用されることができる。通常、制御ユニットは、被駆動ロール（簡潔には図１の参照符号３４を参照されたい）、およびシェード駆動システムと連絡することができる。制御ユニットは、膜がトリガ室を通って進行するレート、および／または膜に接触することが可能であるＵＶ光の量を制御することによって、膜が曝露されることができるＵＶ照射量を制御することができる。制御ユニットは、１つまたは複数の空気循環システム、およびトリガシステム内に配置された様々なセンサに動作式に接続されることもできる。制御ユニットは、膜の速度およびＵＶ照射量を監視および制御するために使用されることができる。制御ユニットは、膜が曝露されることができる所望のレベルのＵＶ照射量を維持するように、プログラムされまたは自動化されることができる。一実施形態では、制御ユニットは、膜進行の前進運動の停止など、所定の事象に応答して、実質的に閉じた位置にＵＶシェードを移動させるように構成されることができる。
【００３３】
再び図１に戻ると、トリガシステム１０は、トリガ室に含まれる膜を一時的に貯蔵するために使用することができる、膜在庫システムを含むこともできる。一実施形態では、トリガ室１２を出る活性膜２２は、パッケージングシステムまたは巻取りロールに進む前に、在庫セクション１６を通って進行することができる。在庫セクションの容量は、生産ラインが停止する場合、在庫セクションが、トリガ室内に含まれているあらゆる活性膜を一時的に貯蔵することができるように拡大可能である。在庫セクションを通過した後、膜は、パッケージングデバイスまたは巻取りロールに進行することができ、そこで、後の使用のために貯蔵されることができる。いくつかの実施形態では、在庫セクションの容量は、トリガ室の内部の膜容量と同程度またはそれ以上とすることができる。在庫セクション１６は、様々な位置に移動されることができる可動在庫シャトル８２を含むことができ、それにより、在庫セクションは、トリガ室に存在する可能性があるあらゆる過剰な膜を、一時的に貯蔵するように拡大されることができる。在庫シャトル８２は、在庫セクションの容量を拡大または減少させるように再配置されることができる。パッケージングシステムにおいて生じる停止または遅延など、ライン停止の場合、在庫シャトルは、トリガ室に配置されるあらゆる膜を取り上げるように再配置されることができる。その結果、膜ＵＶ曝露は、ＵＶ灯をターンオフすることを必要とせずに、停止されることができる。一実施形態では、在庫セクションは、ＵＶ室内に配置される活性膜を取り上げて、貯蔵することができる。
【００３４】
活性膜２２がトリガ室を出た後、後の使用のために巻上げロールまたは他の適切な貯蔵手段に送られることができ、または、すぐに使用するために、パッケージングシステム１８に送られることができる。
【００３５】
いくつかの実施形態では、ＵＶシェードおよび被駆動ロールは、膜が曝露されることができるＵＶ照射量を制御および限定するために、協働して作用することができる。一実施形態では、ＵＶシェードおよび被駆動ロールは、トリガ室に入る膜のＵＶ曝露を限定し、一方、活性化されているプロセスにおいて膜を活性化するのを可能にすることに随伴して使用されることができる。たとえば、トリガ室の下流側のある点におけるライン停止など、所定の事象の場合、ＵＶシェードは、トリガ室に入る膜をさらに活性化するのを防止するために、閉位置に移動するように向けられることができる。一実施形態では、ＵＶシェードが閉位置に移動する速度は、膜がトリガ室内を進行する速度に近いことができる。その結果、ＵＶシェードは、トリガ室に入る不活性膜がＵＶ光に曝露されず、活性化されているプロセスの膜が、膜を活性化させるために十分なＵＶ照射量を引き続き受け取ることができるように、閉位置に移動するように向けることができる。膜が活性化される際、被駆動ロールは、トリガ室の外部に膜を前進して駆動し続けることができる。いくつかの実施形態では、被駆動ロールは、ＵＶシェードが閉位置に移動し、ほぼすべての活性膜が室を出たとき、膜の前進運動を停止することができる。したがって、ＵＶシェードは、活性膜がトリガ室の外部に駆動されることを可能にすることが許容し、ＵＶ灯をターンオフすることを必要とせずに、不活性膜をさらに活性化することを防止するために使用することができる。
【００３６】
いくつかの実施形態では、トリガ室を出る活性膜は、在庫システムに一時的に貯蔵されることができる。いくつかの実施形態では、ＵＶシェードおよび被駆動ロールの動作は、膜の活性化を制御するように自動化される制御ユニットによって、動作式に制御されることが可能である。制御ユニットは、在庫セクションが、トリガ室を出る活性膜を取り上げることができることができるように、在庫システムに動作式に接続されることもできる。
【００３７】
トリガシステムは、スライスされた七面鳥、ハム、ペパローニ、およびボローニャなどの燻製されて処理された肉、トマトベース製品などの野菜製品、ジャムおよびゼリー、ベビーフードなどの他の食品製品、ならびに電子構成要素、限定寿命の光学記憶媒体、医薬品などの他の製品などを含めて、広範な酸素感受性製品のパッケージングにおいて使用されることができる。トリガ室は、様々な垂直形態充填および封止（ＶＦＦＳ）ならびに水平形態充填および封止（ＨＦＦＳ）のパッケージングラインに容易に適合可能である。
【００３８】
本発明を使用して、広範な酸素捕集組成をトリガすることができる。適切な酸素捕集組成が、Ｓｐｅｅｒらへの米国特許第５２１１８７５号、米国特許第５３５０６２２号、米国特許第５４９８３６４号、および米国特許第５３９９２８９号、ならびにＣｈｉｎｇらへのＷＯ９５／０４７７６およびＷＯ９５／０２６１６、さらにＣａｉらへのＷＯ９９／４８９６３に記載されており、これらはすべて参照によって完全に本明細書に組み込まれている。本発明において使用される酸素捕集組成は、たとえば米国特許第５２１１８７５号において開示されているように、遷移金属触媒と組み合わせることができる、酸化可能有機組成を含むことができる。酸素捕集組成は、非限定的に、置換または非置換のエチレン不飽和の炭化水素ポリマーの酸化可能有機組成を含む。本発明において有用である通常のポリマーは、少なくとも１０００の分子量を有することができる。特に有用な有機組成には、スチレン／ブタジエンコポリマー、スチレン／イソプレンコポリマー、ポリブタジエン、ポリイソプレン、エチレン／メチルアクリレート／シクロヘキサンメチルアクリレート、およびそれらの混合物があるが、これらに限定されるものではない。酸素捕集組成の遷移金属触媒は、通常、コバルト、マンガン、ニッケル、鉄、銅、ロジウム、ルテニウム、またはそれらの混合物の遷移金属塩である。
【００３９】
本発明において使用されることができる追加の酸素捕集組成が、Ｒｏｏｎｅｙへの米国特許第５９５８２５４号、Ｃｈｉｎｇらへの米国特許第５８５９１４５号、Ｂａｎｓｌｅｂｅｎらへの米国特許第６２５５２４８号、Ｇａｕｔｈｉｅｒらへの米国特許第６２１４２５４号、２００３年１２月２４日出願の米国特許出願第１０／７４６６２６号、およびＰＣＴ特許出願ＷＯ９９／４８９６３において開示されており、これらはすべて参照によって完全に本明細書に組み込まれている。本発明と関連して使用されることができる他の酸素捕集剤が、参照によって本明細書において完全に組み込まれている、Ｒｏｏｎｅｙへの米国特許第５９５８２５４号において開示されている。これらの酸素捕集剤は、所定の条件下において還元される少なくとも１つの還元可能有機組成を含み、組成の還元形態は、分子酸素によって酸化可能であり、有機組成の還元および／またはその後の酸化は、遷移金属触媒の存在とは無関係に行われる。還元可能有機組成は、キノン、光還元可能染料、またはＵＶスペクトルにおける吸収を有するカルボニル組成であることが好ましい。
【００４０】
酸素捕集組成は、光開始剤、希釈液、および充填剤、顔料、色素、抗酸化剤、安定剤、処理補助剤、可塑剤、難燃剤、かぶり防止剤などの添加剤を含むこともできる。
【００４１】
酸素捕集組成をトリガするために必要な曝露量は、トリガ中およびトリガ後の膜の温度、膜の処方、灯の強度、膜の経路長、ＵＶ源への近さなどのいくつかの変数に応じる。通常、酸素捕集組成は、少なくとも約５０ｍＪ／ｃｍ２のＵＶ−Ｃ光の照射量を組成に提供するために、所望の波長、強度、および滞在時間でＵＶ−Ｃ光に曝露することによってトリガされることができる。たとえば、組成は、３００ｍＪ／ｃｍ２から１０００ｍＪ／ｃｍ２など、１５０ｍＪ／ｃｍ２を超える照射量を受け取ることができる。いくつかの場合、ＵＶ照射量は、１６００ｍＪ／ｃｍ２程度に高いことが可能である。
【００４２】
前述されたように、本発明は、特定の酸素捕集組成が受け取るＵＶ曝露量を制御するために使用することができる照射量管理システムを含む。たとえば、トリガされた物品が、修正大気パッケージ（ＭＡＰ）など、ヘッドスペースを有するパッケージにおいて使用されるとき、好ましくは非常に短い誘導期間でより迅速な酸素捕集レートが好ましい。そのようなパッケージでは、ＵＶ−Ｃ光の好ましい照射量は、４００ｍＪ／ｃｍ２と８００ｍＪ／ｃｍ２との間など、３００ｍＪ／ｃｍ２と１６００ｍＪ／ｃｍ２との間である。誘導期間は、捕集組成が有用な捕集特性を呈示する前の時間期間を指す。長い誘導時間を呈示する組成は、通常、使用前に十分な時間期間、末端使用者によって在庫表において保持される。一方、より短い誘導期間を有する酸素捕集組成は、材料の酸素捕集特性が時期尚早に消耗されないように、通常、比較的に短い時間期間内に使用される。
【００４３】
酸素捕集膜が活性酸素障壁パッケージングにおいて使用されるとき、捕集膜は、パッケージ層を通る酸素の流れ込みの防止を補助する機能を提供する。活性障壁の用途では、より長い時間期間、酸素捕集膜が、パッケージの酸素障壁の性質を向上させるように、より低い酸素捕集レートが許容可能であり、好ましい。本発明と関連して使用されることができる例示的な活性酸素障壁膜が、ＰＣＴ特許出願ＷＯ０２／１８４８９、およびＫｕｒａｒａｙへの米国特許第６５９９５９８号に記載されており、両方とも参照によって完全に本明細書に組み込まれている。活性酸素障壁膜は、物理的な酸素障壁を提供する１つまたは複数の層、および酸素捕集障壁（捕集剤）を提供する１つまたは複数の層を含むことができる。いくつかの場合、活性酸素障壁層は、実質的に物理的な酸素障壁を同様に提供する希釈液ポリマーを含むことが可能である。いくつかの実施形態では、酸素捕集処方は、酸素障壁層と物理的に混合することが可能である。具体的には高障壁の長期保持パッケージである障壁パッケージと共に使用するために、ＵＶ−Ｃ光をトリガする好ましい照射量は、５０ｍＪ／ｃｍ２と８００ｍＪ／ｃｍ２との間である。
【００４４】
上記の議論から、本発明は、以前に獲得可能であったよりも高速に、酸素捕集組成をトリガするために使用することができる装置を使用する方法、装置、およびシステムを提供することが明らかなはずである。本発明は、ＵＶ曝露を制御するために使用されることができるトリガユニットも提供する。
【００４５】
以上の記述および関連する図面において呈示された教示の利点を有する、これらの発明に関係する当業者なら、本明細書において述べられた本発明の多くの修正および他の実施形態を思いつくであろう。したがって、本発明は、開示された特定の実施形態に限定されず、修正および他の実施形態は、特許請求の範囲内に含まれることを意図することを理解されたい。特定の用語が本明細書において使用されたが、これらは一般的で記述のためにのみ使用され、限定を目的とするものではない。
【図面の簡単な説明】
【００４６】
【図１】膜とＵＶ光源との間に配置することができるＵＶシェードを含む、酸素捕集システムを活性化するためのシステムの断面側面図である。
【図２】膜、複数のＵＶ灯、およびシェード駆動デバイスの間に配置することができる、ＵＶシェードの斜視図である。
【図３】複数のＵＶ灯を保持するように構成され、ＵＶシェードが部分開位置にあるカセットの斜視図である。
【図４】カセットのパネルが取り外されている図３のカセットの斜視図である。
【図５】調整空気を膜にわたって導入するために使用することができ、ＵＶ室の一部が見えるようにするために除去される、空気循環システムの斜視図である。
【図６】膜にわたって導入されている調整空気を示す、図５の空気循環システムの断面側面斜視図である。
【符号の説明】
【００４７】
１０  酸素捕集組成を活性化するためのシステム
１２  ＵＶ室
１４  ＵＶ光源
１６  在庫セクション
１８  パッケージングシステム
２０  ロール
２２  膜
２４  ＵＶ灯
２６  内部空間
２８  灯バンク
３０、７６  入口
３２、７８  出口
３４  被駆動ロール
３６  ガイドロール
３８  ＵＶシェード
４０  第１の側面
４１  第２の側面
４２  前縁
４４  エンドレスベルト
５０  モータ
５２  駆動シャフト
５４  アイドラロール
６０  ＵＶカセット
６２  カセットハウジング
６４  第１のパネル
６６  第２のパネル
６８  開口
７０  ウィンドウペイン
７２、７４  縁
８０  空気循環システム
８２  空気取入れ口
８６  プレナム
【図１】
0004723454.tif 000002
【図２】
0004723454.tif 000003
【図３】
0004723454.tif 000004
【図４】
0004723454.tif 000005
【図５】
0004723454.tif 000006
【図６】
0004723454.tif 000007